(57)【要約】【課題】比較的簡単な操作で室内側で立本管から横引本管に塗装を行うことができ、塗装作業が短時間で迅速に済み、塗装能率の改善により作業性が向上する配管ライニング装置および配管ライニング方法を提供する。【解決手段】立本管３内の塗装により立本管３と横引本管４との境界部に形成された塗装膜部を切除するため、遠隔操作によりカッターを立本管３内に挿入して塗装膜部に接触させる。塗装膜部の切除後、遠隔操作により施工具１７を立本管３内に挿入して境界部から横引本管４の内壁部４ａに塗料層を形成する。この際、施工具１７の操作により、塗料を含浸させた環状の布部材２１を反転させながら内壁部４ａに押付けて付着させる。塗装膜部を遠隔操作によるカッターで切除するので、横引本管４内の塗装を室内側で立本管３を通して横引本管４に行う際の障害がなくなり、コスト的に有利でかつ塗装作業性が向上する。【選択図】図６
2006026632.tif 000002
【特許請求の範囲】
【請求項１】
配管から枝分かれした分岐管に前記配管内から塗装を施す配管ライニング装置において、
前記配管内の塗装により前記配管と前記分岐管との境界部に形成された塗装膜部を切除するため、遠隔操作により前記配管内に挿入して前記塗装膜部に接触させるカッターと、  前記塗装膜部の切除後、遠隔操作により前記配管内に挿入して前記境界部から前記分岐管の内壁部に塗料層を形成する施工具とを備え、
前記施工具により、塗料を含浸させた環状の布部材を表裏反転させながら前記分岐管の前記内壁部に押付けて付着させることを特徴とする配管ライニング装置。
【請求項２】
前記カッターは、
前記配管に略平行に挿入される軸部材と、
この軸部材に装着されて刃部を駆動する駆動モータと、
前記軸部材に装着されて前記軸部材を回転調節することにより前記刃部を前記塗装膜部に位置合わせする制御モータと、
前記軸部材に膨縮可能に設けられて空気圧の調整により、前記刃部を前記境界部に存する前記塗装膜部に対して進退変位可能にさせるバルーン部材とを備えたことを特徴とする請求項１に記載の配管ライニング装置。
【請求項３】
前記施工具は、
前記配管に挿入される可撓性の筒胴部と、
この筒胴部の外側部に一体的に形成されて空気圧により伸縮可能となるように連結され、外周部に前記布部材を挿入させて前記布部材とともに前記筒胴部内に表裏反転されて収納された延出管部とを備え、
塗装時、空気圧により前記延出管部を前記筒胴部内から外部に伸張させて、前記延出管部とともに前記布部材を反転させながら前記分岐管の前記内壁部に押付けて付着させることを特徴とする請求項１に記載の配管ライニング装置。
【請求項４】
前記布部材の基端部には、前記筒胴部の外側部を接触状態に覆う環状のフランジ部が一体に設けられていることを特徴とする請求項３に記載の配管ライニング装置。
【請求項５】
前記フランジ部の外周縁部には、形状保持のため円形の弾性ワイヤーが埋設されていることを特徴とする請求項４に記載の配管ライニング装置。
【請求項６】
前記弾性ワイヤーは、同心的に配置した円形の外輪部と中心部の小輪部とからなり、前記外輪部と前記小輪部との間に放射状のスポークを連結状態に設けていることを特徴とする請求項５に記載の配管ライニング装置。
【請求項７】
前記延出管部の端末部には、挿通孔を形成した栓部が連結固定されており、前記挿通孔に通されてストッパにより抜止めされた制御ワイヤの引き操作により、塗装後の前記延出管部を回収するとともに、塗装時に乾燥用の熱風を前記筒胴部内に供給して前記制御ワイヤと前記挿通孔との間の隙間を介して逃がす過程で、前記熱風を前記布部材に均等に吹き付けることを特徴とする請求項３に記載の配管ライニング装置。
【請求項８】
配管から枝分かれした分岐管に前記配管内から塗装を施す配管ライニング方法において、
前記配管内の塗装により前記配管と前記分岐管との境界部に形成された塗装膜部を切除するため、遠隔操作によりカッターを前記配管内に挿入して前記塗装膜部に接触させる工程と、
前記塗装膜部の切除後、遠隔操作により施工具を前記配管内に挿入して前記境界部から前記分岐管の内壁部に塗料層を形成する工程とを備え、
前記施工具により、塗料を含浸させた環状の布部材を表裏反転させながら前記分岐管の前記内壁部に押付けて付着させることを特徴とする配管ライニング方法。
【請求項９】
前記カッターの操作時には、
軸部材を前記配管に略平行に挿入する工程と、
前記軸部材に装着した駆動モータにより刃部を駆動する工程と、
前記軸部材に装着された制御モータにより、前記軸部材を回転調節して前記刃部を前記塗装膜部に位置合わせする工程と、
前記軸部材に膨縮可能に設けられたバルーン部材に対する空気圧の調整により、前記刃部を前記境界部に存する前記塗装膜部に対して進退変位可能にさせる工程とを備えたことを特徴とする請求項８に記載の配管ライニング方法。
【請求項１０】
前記施工具の操作時には、
可撓性の筒胴部を前記配管に挿入する工程と、
前記筒胴部の外側部に一体的に形成されて空気圧により伸縮可能となるように連結され、外周部に前記布部材を挿入させた延出管部を前記布部材とともに前記筒胴部内に表裏反転して収納する工程とを備え、
塗装時、空気圧により前記延出管部を前記筒胴部内から外部に伸張させて、前記延出管部とともに前記布部材を反転させながら前記分岐管の前記内壁部に押付けて付着させることを特徴とする請求項８に記載の配管ライニング方法。
【請求項１１】
前記布部材の基端部には、前記筒胴部の外側部を接触状態に覆う環状のフランジ部が一体に設けられていることを特徴とする請求項１０に記載の配管ライニング方法。
【請求項１２】
前記フランジ部の外周縁部には、形状保持のため円形の弾性ワイヤーが埋設されていることを特徴とする請求項１１に記載の配管ライニング方法。
【請求項１３】
前記弾性ワイヤーは、同心的に配置した円形の外輪部と中心部の小輪部とからなり、前記外輪部と前記小輪部との間に放射状のスポークを連結状態に設けていることを特徴とする請求項１２に記載の配管ライニング方法。
【請求項１４】
前記延出管部の端末部には、挿通孔を形成した栓部が連結固定されており、前記挿通孔に通されてストッパにより抜止めされた制御ワイヤの引き操作により塗装後の前記延出管部を回収する工程と、塗装時に乾燥用の熱風を前記筒胴部内に供給して前記制御ワイヤと前記挿通孔との間の隙間を介して逃がす過程で、前記熱風を前記布部材に均等に吹き付ける工程とを有することを特徴とする請求項１０に記載の配管ライニング方法。
【発明の詳細な説明】
【技術分野】
【０００１】
本発明は、排水管や埋設管などの補修あるいは維持管理などのため、配管の内壁部に塗装を施す配管ライニング装置および配管ライニング方法に関する。
【背景技術】
【０００２】
建物内あるいは屋外に配置された埋設管や排水管などの配管内には、食物の残滓、油脂、使用済みの洗剤、毛髪、砂礫、土砂など多種類の異物が大量に付着堆積し、錆瘤とともにスケール（水垢）を形成している。配管の機能や衛生を保つために、配管内に付着堆積するスケールを完全に除去する必要があり、清掃装置を用いて定期的に配管の清掃を行っている。配管の清掃後には、耐久性などの観点から塗装用ピグをライニング装置として用いて配管の内壁部に塗装をライニングとして施すようにしている（例えば特許文献１参照）。この塗装用ピグは、螺旋状の溝が彫り込まれた円柱体からなり、配管内に供給された負圧により気流を受け、自転および公転を伴う複雑な偏心回転運動を行う。塗装用ピグの偏心回転運動により塗料を配管の内面に押付けて塗料層を形成するようにしている。
また、別の管内面のライニング装置では、コンプレッサーからの圧縮空気をエアホースを介して受ける塗料注入管が設けられた配管を備えている（例えば特許文献２参照）。この配管は、径内通路を遮断するフィルム状の遮断手段が設けられた管継手によりライニング管に着脱自在に接続されている。ライニング作業時、コンプレッサーからの圧縮空気により押圧された塗料が遮断手段を破る。これにより、配管内に充満していた塊状の塗料がプラグ流となって管継手からライニング管に供給されてライニング管の内面が塗装されるようになっている。
【特許文献１】特開２００３−２８４９８９号公報
【特許文献２】特開平１０−１７４９２３号公報
【発明の開示】
【発明が解決しようとする課題】
【０００３】
特許文献１の塗装用ピグでは、配管の塗装時に溝の縁がスクレーバのように機能し、余剰の塗料を掻き取ったり、塗料不足の部分に再配分して均一な塗装を実現させるように意図している。しかしながら、集合住宅（マンション）などの建物では、部屋を仕切る防火壁に本管から枝分かれした分岐管が埋設されているので、塗装用ピグで室内側の配管から分岐管の内壁部に塗料層を形成することは難しいものがある。また、一般に分岐管は配管に連接状態に設けられていることから、特許文献２のライニング装置では、塗料注入管を設けた配管を管継手で分岐管に接続すること自体が不可能である。この種のライニング装置を用いても、集合住宅の室内側で配管を通して分岐管の内壁部に塗料層を形成することが全くできないものである。
このため、分岐管に塗料層を形成するには、本管から分岐管に塗装ロボットを連続的に導入して分岐管に塗装を施すことが行われるが、分岐管の管径寸法が２００ｍｍ以下になると、分岐管が狭すぎて塗装ロボットを導入することができない事情がある。
この場合には、やむなく防火壁の一部を解体して分岐管の一部を露出させるとともに切断し、室外側から分岐管に塗装を施さざるを得ず大がかりな工事になるのが一般的である。この結果、防火壁の解体や分岐管の切断をはじめ、その解体や切断後の補修に労力や時間がかかり、コストが上昇するとともに塗装能率が悪く、その作業性が大幅に低下する虞がある。
【０００４】
本発明は上記の事情を考慮してなされ、その目的は比較的簡単な操作で室内側の配管から分岐管に塗装を施すことができ、塗装作業が短時間で迅速に済み、良好な塗装能率により作業性が向上してコストの削減に寄与する配管ライニング装置および配管ライニング方法を提供することにある。
【課題を解決するための手段】
【０００５】
（請求項１および請求項８について）
配管から枝分かれした分岐管に配管内から塗装を施す際、配管内の塗装により配管と分岐管との境界部に形成された塗装膜部を切除するため、遠隔操作によりカッターを配管内に挿入して塗装膜部に接触させる。塗装膜部の切除後、遠隔操作により施工具を配管内に挿入して境界部から分岐管の内壁部に塗料層を形成する。この際、施工具により、塗料を含浸させた環状の布部材を表裏反転させながら分岐管の内壁部に押付けて付着させる。
配管と分岐管との境界部に形成された塗装膜部を遠隔操作によるカッターで切除するので、分岐管内の塗装を配管、例えば立本管を通して分岐管に行う上の障害がなくなる。このため、施工具を室内側から配管内に挿入し、境界部から分岐管内に環状の布部材を表裏反転させながら内壁部に押付けて塗装を施すことができる。この結果、比較的簡単な操作で配管、例えば立本管から分岐管に塗装を行うことができ、塗装作業が短時間で迅速に済み、塗装能率の改善により作業性が向上してコストの削減に寄与する。
【０００６】
（請求項２および請求項９について）
カッターは、軸部材から配管に略平行に挿入される。駆動モータは、軸部材に装着されて刃部を駆動する。制御モータは、軸部材に装着されて軸部材を回転調節することにより刃部を塗装膜部に位置合わせする。バルーン部材は、軸部材に膨縮可能に設けられて空気圧の調整により、刃部を境界部に存する塗装膜部に対して進退変位可能にさせる。
この場合、カッターは、軸部材、駆動モータ、制御モータおよびバルーン部材といった比較的簡素な構成で、刃部を塗装膜部に位置合わせすることができてコスト的に有利である。
【０００７】
（請求項３および請求項１０について）
施工具は、配管に挿入する可撓性の筒胴部を有する。延出管部は、筒胴部の外側部に一体的に形成されて空気圧により伸縮可能となるように連結されている。この延出管部は、外周部に挿入させた布部材とともに筒胴部内に表裏反転されて収納される。塗装時には、空気圧により延出管部を筒胴部内から外部に伸張させて、延出管部とともに布部材を反転させながら分岐管の内壁部に押付けて付着させる。
この場合、施工具は、筒胴部および伸縮可能な延出管部といった比較的簡素な構成で済みコスト的に有利となる。
【０００８】
（請求項４および請求項１１について）
布部材の基端部には、筒胴部の外側部を接触状態に覆う環状のフランジ部が一体に設けられている。このため、布部材の反転終了後、配管と分岐管との境界部にフランジ部を付着させて良好な仕上げで塗装することができる。
【０００９】
（請求項５および請求項１２について）
フランジ部の外周縁部には、形状保持のため円形の弾性ワイヤーが埋設されているので、フランジ部が布製であっても、フランジ部が所期の形状を保ちへたれずに筒胴部の外側部に接触する。
【００１０】
（請求項６および請求項１３について）
弾性ワイヤーは、同心的に配置した円形の外輪部と中心部の小輪部とからなり、外輪部と小輪部との間に放射状のスポークを連結状態に設けている。このため、布部材のフランジ部が補強されて、容易にへたれることがなくなり、分岐管への塗装を良好な仕上げで迅速に行うことができる。
【００１１】
（請求項７および請求項１４について）
延出管部の端末部には、挿通孔を形成した栓部が連結固定されている。挿通孔に通されてストッパにより抜止めされた制御ワイヤの引き操作により塗装後の延出管部を回収する。塗装時に乾燥用の熱風を筒胴部内に供給し、熱風が制御ワイヤと挿通孔との間の隙間を介して逃げる過程で、熱風を布部材に均等に吹き付ける。
塗装時に熱風を筒胴部内に供給して熱風を布部材に均等に吹き付けているので、配管内に付着形成させた布部材の塗料を短時間で乾燥できる利点が得られる。制御ワイヤは延出管部に連結されているため、熱風の吹き付け後は、制御ワイヤを引き込むことにより、延出管部を再反転させながら回収できて合理的である。
【発明を実施するための最良の形態】
【００１２】
分岐管としての横引本管の塗装時、室内側から空気圧により延出管部を筒胴部内から外部に伸張させ、延出管部とともに布部材を反転させながら横引本管の内壁部に押付けて付着させて立本管から横引本管に効率的に塗装を施す。
【実施例１】
【００１３】
本発明の実施例１を図１ないし図９に基づいて説明する。
集合住宅などの建物Ｈの排水管の配管例を示す図１において、建物Ｈは、通気管１、汚水立本管２および立本管３を配管として備えている。通気管１、汚水立本管２および立本管３は、分岐管としての横引本管４から外部枡５に連通している。清掃時、通気管１、汚水立本管２、立本管３などの配管および横引本管４から流れ落ちた塵埃やスケールなどの付着物は、配管に空気や粉砕水などの流体を流動させることにより、外部枡５から万能配管更生車（ＶａｃＬマシン）６により回収される。この場合、万能配管更生車６に代わって、コンプレッサーなどの圧搾空気供給装置（図示せず）を用いて流体を配管内に流動させてもよい。
【００１４】
配管の清掃後には、耐久性や衛生などの観点から、例えば反転式のライニング装置（図示せず）を用いて立本管３の内壁部３ａに塗装を施して所定厚みの塗料層Ｒを形成する。この時、図２に示すように立本管３の塗装により立本管３と横引本管４との境界部に略長円形の塗装膜部８が形成される。このため、横引本管４に塗装を施すには、後述するカッター９により塗装膜部８を切除する必要がある。
【００１５】
このカッター９は、図３に示すように立本管３に略平行に挿入される軸部材１０と、軸部材１０に装着されて刃部１１を駆動する駆動モータ１２とを備え、後述する施工具１７とともに配管ライニング装置を構成する。軸部材１０は、自身を軸回りに回転調節することにより、刃部１１を塗装膜部８に位置合わせする制御モータ１３を有する。軸部材１０の左右には、膨縮可能に設けられて空気圧の調整により、刃部１１を境界部に対して進退変位可能にさせるバルーン部材１４、１５を取付けている。カッター９は、図示しない小型カメラの監視のもとで吊りロープＷなどにより上下に遠隔操作可能になっている。なお、カッター９の刃部１１は、ダイヤモンドカッターにより形成しているが、ジェット噴射式の超高圧ウォーターカッター、回転式糸鋸やドリル式カッターなどを用いてもよい。
【００１６】
カッター９により塗装膜部８を切除した後、横引本管４の内壁部４ａに塗装を施すため、図４および図５に示す施工具１７を用いる。施工具１７は、図４に示すように送気管２０に連結されて立本管３に挿入される可撓性の筒胴部１８と、筒胴部１８の外側部に一体的に形成されて空気圧により伸縮可能となるように略直角方向に連結されたゴム製の延出管部１９を備えている。延出管部１９の外周部には、塗料を含浸させた環状の布部材２１をタフネスクロスとして挿入により表裏反転可能に装着している。
【００１７】
塗装前の布部材２１は、図４に二点鎖線で示すように延出管部１９とともに筒胴部１８内に表裏反転されて収納されている。布部材２１の基端部には、図５に示すように塗装膜部８の切除により形成された開口部８ａに対応する環状のフランジ部２１ａが一体に設けられ、筒胴部１８の外側部を接触状態に覆っている。施工具１７は、小型カメラの監視のもとで吊りロープＮなどにより上下方向に遠隔操作可能になっている。なお、フランジ部２１ａの外周縁部には、形状保持のため円形の弾性ワイヤー２２が縫合などにより埋設されており、フランジ部２１ａをへたれさせずに筒胴部１８の外側部に接触状態に保持している。
【００１８】
上記構成において、立本管３の内壁部３ａに塗料層Ｒを形成して熱風や湯水などの乾燥手段を用いて乾燥養生させた後、本発明の配管ライニング方法によりカッター９を用いて横引本管４の内壁部４ａに塗装を施す。すなわち、図３に示すように遠隔操作によりカッ
ター９を室内側から立本管３内に略平行に挿入し、カッター９の位置調整を行って刃部１１を塗装膜部８に接触させるように配置する。
【００１９】
この時、駆動モータ１２により刃部１１を回転駆動するとともに、制御モータ１３により軸部材１０を左右方向に回転調節して刃部１１を塗装膜部８に位置合わせする。バルーン部材１４、１５に対して交互に空気を給排することにより、バルーン部材１４、１５が膨縮により交互に進退変位し、刃部１１を前後に移動させて塗装膜部８を切除する。つまり、吊りロープＷなどによる上下移動調整およびバルーン部材１４、１５による前後移動調整を行って、塗装膜部８を刃部１１により除去して略長円形の開口部８ａを露呈させる。
【００２０】
塗装膜部８が除去された後、カッター９を立本管３から取出し、本発明の配管ライニング方法に基づいて横引本管４の内壁部４ａに塗装を施すべく施工具１７を用いる。すなわち、図５に示すように施工具１７の延出管部１９を布部材２１とともに筒胴部１８内に表裏反転して収納しておいて、筒胴部１８を室内側から立本管３に挿入する。吊りロープＮなどの調節により布部材２１のフランジ部２１ａを開口部８ａに位置合わせする。
【００２１】
この状態で、図６に示すように送気管２０を介して筒胴部１８に空気を圧送する。これにより、筒胴部１８が膨張により立本管３の塗料層Ｒに弾接して施工具１７を位置保持するとともに、フランジ部２１ａを開口部８ａの外周縁部に接触させる。これに伴い、延出管部１９が空気圧を受けて布部材２１とともに反転しながら筒胴部１８から外部に伸張し、開口部８ａを介して横引本管４内に進出する。延出管部１９内の空気圧が所定圧に達すると、図７に示すように延出管部１９が布部材２１を横引本管４の内壁部４ａに十分な膨張圧で押付けて塗料層として付着させる。
【００２２】
横引本管４の内壁部４ａに布部材２１を塗料層として付着させた後、筒胴部１８から空気圧を抜くと、図８に示すように筒胴部１８が元の大きさに収縮して塗料層Ｒに対する弾接を解除する。これに伴い、延出管部１９の内部が負圧となるように吸引され、延出管部１９が布部材２１を内壁部４ａに付着させたまま単独で表裏反転しながら筒胴部１８内に収納される。その後、施工具１７を立本管３内から外部に引出すと、図９に示すようにフランジ部２１ａが立本管３と横引本管４との境界部を覆って、内壁部４ａが布部材２１により良好に塗装された横引本管４を得ることができる。
【００２３】
このように、立本管３と横引本管４との境界部に形成された塗装膜部８を遠隔操作によるカッター９で切除するので、横引本管４内の塗装を室内側で立本管３を通して横引本管４に行う上の障害がなくなる。このため、施工具１７を室内側から立本管３内に挿入し、境界部から横引本管４内に環状の布部材２１を反転させながら内壁部４ａに押付けて塗装を施すことができる。この結果、比較的簡単な操作で室内側で立本管３から横引本管４に塗装を行うことができ、塗装作業が短時間で迅速に済み、塗装能率の改善により作業性が向上してコストの削減に寄与する。しかも、カッター９および施工具１７が簡素な構成で痩身化されているので、横引本管４の管径寸法が６５ｍｍから２００ｍｍといった小さな場合でも、横引本管４への塗装が可能となり塗装の適用範囲が大幅に広くなる。
【実施例２】
【００２４】
図１０は本発明の実施例２を示す。実施例２が実施例１と異なるところは、フランジ部２１ａを補強すべく弾性ワイヤー２２を二重輪状に構成したことである。すなわち、弾性ワイヤー２２は、図１０の（イ）、（ロ）に示すように同心的に配置した円形の外輪部２２ａと中心部の小輪部２２ｂとからなり、外輪部２２ａと小輪部２２ｂとの間には、放射状のスポーク２２ｃを連結状態に設けている。
【実施例３】
【００２５】
図１１は本発明の実施例３を示す。実施例３が実施例１と異なるところは、図１１の（イ）に示すように、延出管部１９の端末部１９ａに、挿通孔２３ａを形成した栓部２３を連結固定したことである。
制御ワイヤ２４の末端部２４ａは、図１１の（イ）、（ロ）に示すように、栓部２３の挿通孔２３ａに挿通されて抜止め用のストッパ２５を固定している。
【００２６】
塗装時、図１１の（ハ）に示すハロゲンランプ２６により空気が加熱されて生じた熱風を筒胴部１８に供給すると、熱風がフランジ部２１ａを介して制御ワイヤ２４と挿通孔２３ａとの間の僅かな隙間から逃げる過程で、熱風を布部材２１に均等に吹き付ける。
このため、配管内に付着形成させた布部材２１の塗料を短時間で乾燥できる利点が得られる。制御ワイヤ２４は延出管部１９に連結されているため、熱風の吹き付け後は、制御ワイヤ２４を引き出すことにより、延出管部１９を再反転させながら筒胴部１８内に回収できて合理的である。この場合、乾燥用の熱風は、延出管部１９および布部材２１を反転させる際に筒胴部１８に供給する空気と同一のものを利用する。
なお、空気への加熱源は、比較的寿命の長いハロゲンランプ２６を用いたが、ハロゲンランプ２６に限らず、電気抵抗線など種々のものが用いられ、要は供給空気を加熱できるものであればよい。
【００２７】
（変形例）
立本管３の内壁部３ａに塗装を施して所定厚みの塗料層Ｒを形成する際、反転式のライニング装置を用いたが、内壁部３ａに塗装できれば、反転式のライニング装置に限らない。筒胴部１８の延出管部１９は、筒胴部１８に対して必ずしも直角である必要はなく、横引本管４の傾斜程度に応じた所望の角度に形成することができる。横引本管４の内壁部４ａに対しては、立本管３に対する施工具１７の挿入操作を複数回繰り返すことにより、横引本管４に対して下塗り、中塗り、上塗りおよび仕上げ塗りなどに分けて段階的な重ね塗りを行うようにしてもよい。分岐管としての横引本管４は、排水管や埋設管をはじめ、空調ダクトや排気ダクト（工業ダクト、厨房ダクト）などを含み、管内に塗装を施す必要があるものであればよい。その他、本発明の具体的な実施にあたっては、本発明の要旨を逸脱しない範囲で種々変更することができる。
【産業上の利用可能性】
【００２８】
立本管と横引本管との境界部に形成された塗装膜部を遠隔操作によるカッターで切除するので、横引本管内の塗装を室内側で立本管を通して横引本管に行う際の障害がなくなる。施工具を室内側から立本管内に挿入し、横引本管内に布部材を反転させながら内壁部に押付けて塗装を施すことができ、塗装能率の改善により作業性が向上してコストの削減に寄与する。カッターおよび施工具が簡素な構成で痩身化されており、横引本管の管径寸法が６５ｍｍから２００ｍｍといった小さい場合でも、横引本管への塗装が可能となり塗装の適用範囲が大幅に広くなり、集合住宅をはじめとする各種の建造物の配管補修業界に大きく寄与することができる。
【図面の簡単な説明】
【００２９】
【図１】集合住宅などの建物の排水管の配管例を示す概略図である（実施例１）。
【図２】立本管および横引本管を示す拡大縦断面図である（実施例１）。
【図３】カッターを立本管に挿入した状態を示す立本管および横引本管の拡大縦断面図である（実施例１）。
【図４】施工具を示す正面図である（実施例１）。
【図５】施工具を立本管に挿入した状態を示す立本管および横引本管の拡大縦断面図である（実施例１）。
【図６】横引本管に対する施工具の使用開始時の状態を示す立本管および横引本管の拡大縦断面図である（実施例１）。
【図７】横引本管に対する施工具の使用中の状態を示す立本管および横引本管の拡大縦断面図である（実施例１）。
【図８】横引本管に対する施工具の使用後の状態を示す立本管および横引本管の拡大縦断面図である（実施例１）。
【図９】塗装完了後の立本管および横引本管を示す拡大縦断面図である（実施例１）。
【図１０】（イ）は布部材の斜視図、（ロ）は弾性ワイヤーの正面図である（実施例２）。
【図１１】（イ）は横引本管に対する施工具の使用開始時の状態を示す立本管および横引本管の拡大縦断面図、（ロ）は要部の拡大断面図、（ハ）はハロゲンランプの斜視図である（実施例３）。
【符号の説明】
【００３０】
１    通気管（配管）
２    汚水立本管（配管）
３    立本管（配管）
３ａ  内壁部
４    横引本管（分岐管）
４ａ  内壁部
８    塗装膜部
９    カッター
１０  軸部材
１１  刃部
１２  駆動モータ
１３  制御モータ
１４、１５  バルーン部材
１７  施工具
１８  筒胴部
１９  延出管部
１９ａ  端末部
２１  布部材
２１ａ  フランジ部
２２  弾性ワイヤー
２２ａ  外輪部
２２ｂ  小輪部
２２ｃ  スポーク
２３    栓部
２３ａ  挿通孔
２４  制御ワイヤ
２５  ストッパ
Ｒ    塗料層
【図１】
2006026632.tif 000003
【図２】
2006026632.tif 000004
【図３】
2006026632.tif 000005
【図４】
2006026632.tif 000006
【図５】
2006026632.tif 000007
【図６】
2006026632.tif 000008
【図７】
2006026632.tif 000009
【図８】
2006026632.tif 000010
【図９】
2006026632.tif 000011
【図１０】
2006026632.tif 000012
【図１１】
2006026632.tif 000013